(57)【特許請求の範囲】
【請求項１】
圧縮機等を有する室外機と、
前記室外機に冷媒流量を制御する冷媒流量制御手段を介して接続され、室内空気と熱交換を行う室内熱交換器を有する室内機と、
前記室内熱交換器の配管温度を検出する配管温度検出手段と、
冷房運転開始後に前記配管温度検出手段が検出した前記配管温度に基づいて、前記冷媒流量制御手段の状態を監視する冷媒流量制御監視手段と、
前記冷媒流量制御監視手段が前記冷媒流量制御手段の異常を検出した場合は、警告表示を行う警告表示手段と、
前記圧縮機を駆動するインバータ装置と、
ユーザが設定する室内設定温度と実際の室内温度とに基づいて、前記インバータ装置の設定から前記圧縮機の能力を判断し、前記冷媒流量制御監視手段が用いる前記配管温度に係るデータを補正する補正手段と、
を備えたことを特徴とする空気調和機。
【請求項２】
前記室内機に、室内温度を検出する室内温度検出手段を備え、前記冷媒流量制御監視手段は、冷房運転開始時に前記室内温度検出手段が検出した室内温度と、冷房運転を開始してから所定時間経過後に前記配管温度検出手段が検出した配管温度との温度差ΔＴが、前記補正手段により補正された前記温度差ΔＴの目標値まで低下しているか否かにより、前記冷媒流量制御手段の状態を監視することを特徴とする請求項１記載の空気調和機。
【請求項３】
前記冷媒流量制御監視手段は、冷房運転開始時に前記配管温度検出手段が検出した配管温度ＴＨ１と、冷房運転を開始してから所定時間経過後に前記配管温度検出手段が検出した配管温度ＴＨ２との温度差ΔＴが、前記補正手段により補正された前記温度差ΔＴの目標値まで低下しているか否かにより、前記冷媒流量制御手段の状態を監視することを特徴とする請求項１記載の空気調和機。
【発明の詳細な説明】
【０００１】
【発明の属する技術分野】
この発明は、空気調和機に係り、冷媒量を制御する電磁弁の不具合をユーザに告知する制御に関するものである。
【０００２】
【従来の技術】
従来の空気調和機は、冷媒量を制御する電磁弁の不具合により目標とする冷媒量制御ができずに能力不足になった場合は、冷えない暖まらないなどのクレームが発生していた。
【０００３】
また、マルチ形空気調和機では、一台の室内機が停止中に、その室内機に接続された電磁弁が故障した場合は、運転中の他の室内機の能力が不足するということがある。
【０００４】
一台の室外機に複数の室内機を接続して構成するマルチ形空気調和機に関しては、例えば特開平２−９７８４８号公報記載のものを挙げることができる。これは、各室毎の試運転を行いながら、室外側と各室内側との運転状態の対応を調べていく確認作業の作業性を向上するものである。
【０００５】
【発明が解決しようとする課題】
従来の空気調和機は、冷媒量を制御する電磁弁の不具合により目標とする冷媒量制御ができずに能力不足になった場合は、冷えない暖まらないなどのクレームが発生するという問題点があった。
【０００６】
また、マルチ形空気調和機では、一台の室内機が停止中に、その室内機に接続された電磁弁が故障した場合は、運転中の他の室内機の能力が不足するという問題点があった。
【０００７】
この発明は、上記のような問題点を解消するためになされたもので、冷媒量を制御する電磁弁の不具合により目標とする冷媒量制御できず、能力不足になった場合は、ユーザに告知することを目的とする。
また、マルチ形空気調和機で、停止中の室内機の電磁弁が故障して、運転中の他の室内機の能力が不足した場合に、それをユーザに告知することを目的とする。
【０００８】
【課題を解決するための手段】
請求項１の発明に係る空気調和機は、圧縮機等を有する室外機と、室外機に冷媒流量を制御する冷媒流量制御手段を介して接続され、室内空気と熱交換を行う室内熱交換器を有する室内機と、室内熱交換器の配管温度を検出する配管温度検出手段と、冷房運転開始後に配管温度検出手段が検出した配管温度に基づいて、冷媒流量制御手段の状態を監視する冷媒流量制御監視手段と、冷媒流量制御監視手段が冷媒流量制御手段の異常を検出した場合は、警告表示を行う警告表示手段と、圧縮機を駆動するインバータ装置と、ユーザが設定する室内設定温度と実際の室内温度とに基づいて、インバータ装置の設定から圧縮機の能力を判断し、冷媒流量制御監視手段が用いる配管温度に係るデータを補正する補正手段とを備えたものである。
【００１０】
請求項２の発明に係る空気調和機は、請求項１記載の空気調和機において、記室内機に、室内温度を検出する室内温度検出手段を備え、冷媒流量制御監視手段は、冷房運転開始時に室内温度検出手段が検出した室内温度と、冷房運転を開始してから所定時間経過後に配管温度検出手段が検出した配管温度との温度差ΔＴが、補正手段により補正された温度差ΔＴの目標値まで低下しているか否かにより、冷媒流量制御手段の状態を監視するものである。
【００１１】
請求項３の発明に係る空気調和機は、請求項１記載の空気調和機において、冷媒流量制御監視手段は、冷房運転開始時に配管温度検出手段が検出した配管温度ＴＨ１と、冷房運転を開始してから所定時間経過後に配管温度検出手段が検出した配管温度ＴＨ２との温度差ΔＴが、補正手段により補正された温度差ΔＴの目標値まで低下しているか否かにより、冷媒流量制御手段の状態を監視するものである。
【００１５】
【発明の実施の形態】
実施の形態１．
以下、この発明の実施の形態１を図について説明する。説明の便宜上、マルチ形空気調和機を用いて説明するが、通常の分離形空気調和機にも同じように適用できるものである。
図１はこの発明の実施の形態１によるマルチ形空気調和機の冷媒系統図である。図において、１は空気調和機の室外機であり、冷媒を圧縮する圧縮機２、冷媒の流れを変えて冷房運転と暖房運転の切換を行うための切換弁３、室外機１において冷媒の熱交換を行うための熱交換器４、室内Ａ室への冷媒の流れを止めるための冷媒流量制御手段である電磁弁５、室内Ｂ室への冷媒の流れを止めるための冷媒流量制御手段である電磁弁６で構成されている。
【００１６】
７はＡ室の室内機であり、Ａ室の冷媒の熱交換を行うための室内熱交換器８、Ａ室の室内温度を検出するための室内温度センサ９、Ａ室の配管温度を検出するための配管温度センサ１０で構成されている。
【００１７】
１２はＢ室の室内機であり、Ｂ室の冷媒の熱交換を行うための室内熱交換器１３、Ｂ室の室内温度を検出するための室内温度センサ１４、Ｂ室の配管温度を検出するための配管温度センサ１５で構成されている。
【００１８】
次に動作について説明する。
図２は冷房運転開始時の電磁弁の開閉度により決まる冷媒量による配管温度の変化を示す図、図３はこの発明の実施の形態１の動作を説明するフローチャートである。
図１のように構成されたマルチ形空気調和機において、冷房運転開始時、室内温度を検出しＴＳ１とする（ステップＳ３１）。室内配管温度は図２に示すように運転を開始してから変化するが、ｔ時間経過後の配管温度と運転開始時の室内温度ＴＳ１の差を△Ｔとする（ステップＳ３２）。ステップＳ３３でユーザによって設定された設定温度と室内温度により、インバータで駆動される圧縮機２の運転能力を判断する。
【００１９】
ステップＳ３４で、判断された圧縮機２の運転能力により前記ｔ時間経過後の△Ｔの目標値を補正し、△Ｔが正常に運転できる前記補正された目標値まで低下ているか否かにより電磁弁が正常か否かを判断する。△Ｔ、即ち配管温度が目標値まで低下していれば電磁弁は正常と判断し、また、目標値まで低下していなければ電磁弁は異常と判断し、ユーザーに告知するため警告表示を行う（ステップＳ３５）。
【００２０】
以上のように、この実施の形態１によれば、マルチ形空気調和機において、運転開始時に電磁弁の異常を検出することにより、効率の悪くなった運転をユーザーに警告できるとともに、電磁弁の故障の程度が圧縮機２に負担がかかる場合には、圧縮機２を保護できるなどの効果がある。
また、検出に必要な室内温度センサと配管温度センサは空気調和機に本来必要なものであり本制御のため特別に設けるものではないので安価にできるという効果もある。
【００２１】
実施の形態２．
上述の実施の形態１では、冷房運転開始時の室内温度を検出したが、冷房運転開始時の配管温度を検出して、ｔ時間経過後の配管温度と比較するようにしてもよい。
図４はこの発明の実施の形態２の動作を説明するフローチャートである。図１のように構成されたマルチ形空気調和機において、冷房運転開始時、配管温度を検出し、ＴＨ１とする（ステップＳ４１）。運転を開始してからｔ時間経過後の配管温度ＴＨ２と運転開始時の配管温度ＴＨ１の差を△Ｔとする（ステップＳ４２）。ユーザによって設定された設定温度と室内温度により、インバータで駆動される圧縮機２の運転能力を判断する。
【００２２】
ステップＳ４４で、判断された圧縮機２の運転能力により前記ｔ時間経過後の△Ｔの目標値を補正し、△Ｔが正常に運転できる前記補正された目標値まで低下ているか否かにより電磁弁が正常か否かを判断する。△Ｔ、即ち配管温度が目標値まで低下していれば電磁弁は正常と判断し、また、目標値まで低下していなければ電磁弁は異常と判断し、ユーザーに告知するため警告表示を行う（ステップＳ４５）。
【００２３】
以上のように、この実施の形態２によれば、上述の実施の形態１と同様に、マルチ形空気調和機において、運転開始時に電磁弁の異常を検出することにより、効率の悪くなった運転をユーザーに警告できるとともに、電磁弁の故障の程度が圧縮機２に負担がかかる場合には、圧縮機２を保護できるなどの効果がある。
また、検出に必要な室内温度センサと配管温度センサは空気調和機に本来必要なものであり本制御のため特別に設けるものではないので安価にできるという効果もある。
【００２４】
実施の形態３．
上述の実施の形態では、マルチ形空気調和機において、運転開始時に電磁弁の異常を検出することにより、効率の悪くなった運転をユーザーに警告するようにしたが、本実施の形態３では、マルチ形空気調和機において、一台運転時、停止したもう一台の電磁弁の異常を検出することにより、間接的に運転中の室内機の状態を検出して、効率の悪くなった運転中の室内機の運転状態をユーザーに警告する。
【００２５】
図５はマルチ形空気調和機において、Ａ室とＢ室が冷房運転し、Ａ室の室内機が冷房運転を停止した時の、冷媒量による配管温度の変化を表す図、図６はこの発明の実施の形態３の動作を説明するフローチャートである。
Ａ室とＢ室が冷房運転し、Ａ室の室内機７が冷房運転を停止した時、Ａ室の配管温度を検出し、ＴＨ１とする（ステップＳ６１）。運転を停止してからｔ時間経過後の配管温度と運転停止時の配管温度ＴＨ１の差を△Ｔとする（ステップＳ６２）。
【００２６】
ステップＳ６３で、ｔ時間経過後の△Ｔが正常に運転できる目標値以上上昇しているか否かにより、Ａ室の電磁弁５が正常か否かを判断する（ステップＳ６３）。目標値以上上昇していれば冷媒の漏れはなく、電磁弁５は正常と判断する。目標値まで上昇していなければ電磁弁５が故障し、冷媒が流れていると判断し、ユーザーに告知するため警告表示を行う（ステップＳ６４）。
【００２７】
以上のように、この実施の形態３によれば、マルチ形空気調和機において、一台運転時、停止したもう一台の電磁弁の異常を検出することにより、運転中の室内機の効率の悪くなった運転状態をユーザーに警告できる効果がある。
また、検出に必要な検出器は配管温度センサだけで、しかも配管温度センサは空気調和機に本来必要なものであり本制御のため特別に設けるものではないので安価にできるという効果もある。
【００２８】
実施の形態４．
上述の実施の形態４では、停止した室内機の電磁弁の異常を配管温度の変化で検出したが、室内温度と配管温度を比較することにより検出してもよい。
図７はこの発明の実施の形態４の動作を説明するフローチャートである。
Ａ室とＢ室が冷房運転し、Ａ室の室内機７が冷房運転を停止した時、Ａ室の冷房運転停止してからの変化する配管温度と室内温度ＴＨ１を検出し、その差を△Ｔとする（ステップＳ７１）。ｔ時間経過後の△Ｔが目標値まで達しているかにより電磁弁５が正常か否かを判断する（ステップＳ７２）。配管温度と室内温度ＴＨ１の差△Ｔが規定値以内になれば冷媒は停止し、電磁弁５は正常と判断し、配管温度と室内温度ＴＨ１の差△Ｔが規定値以内にならない場合は電磁弁５が故障し、冷媒が流れていると判断し、ユーザーに告知するため警告表示を行う（ステップＳ７３）。
【００２９】
以上のように、この実施の形態４によれば、マルチ形空気調和機において、一台運転時、停止したもう一台の電磁弁の異常を検出することにより、運転中の室内機の効率の悪くなった運転状態をユーザーに警告できるとともに停止した直後ではなく常時検出できるなどの効果がある。
また、検出に必要な室内温度センサと配管温度センサは、空気調和機に本来必要なものであり本制御のため特別に設けるものではないので安価にできるという効果もある。
【００３０】
【発明の効果】
以上のように、この発明によれば、空気調和機において、運転開始時に冷媒流量制御手段の異常を検出することにより、効率の悪くなった運転をユーザーに警告できるとともに、冷媒流量制御手段の故障の程度が圧縮機に負担がかかる場合には、圧縮機を保護できるなどの効果がある。
また、検出に必要な配管温度検出手段や室内温度検出手段は、空気調和機に本来必要なものであり本制御のため特別に設けるものではないので安価にできるという効果もある。
【図面の簡単な説明】
【図１】この発明の実施の形態１〜４のシステム構成及び冷媒系統図である。
【図２】冷房運転開始時の冷媒量による配管温度の変化を表す図である。
【図３】この発明の実施の形態１の空気調和機の動作を説明するフローチャート図である。
【図４】この発明の実施の形態２の空気調和機の動作を説明するフローチャート図である。
【図５】冷房運転停止時の冷媒量による配管温度の変化を表す図である。
【図６】この発明の実施の形態３のマルチ形空気調和機の動作を説明するフローチャート図である。
【図７】この発明の実施の形態４のマルチ形空気調和機の動作を説明するフローチャート図である。
【符号の説明】
１  室外機、２  圧縮機、３  切換弁、４  室外熱交換器、５、６  電磁弁、７、１２  室内機、８、１３  室内熱交換器、９、１４  室内温度センサ、１０、１５  配管温度センサ。
【図１】
0003590499.tif 000002
【図２】
0003590499.tif 000003
【図３】
0003590499.tif 000004
【図４】
0003590499.tif 000005
【図５】
0003590499.tif 000006
【図６】
0003590499.tif 000007
【図７】
0003590499.tif 000008